(57)【要約】【課題】高出力な光源を用いても眩しくなく、さらに従来技術よりも光源から出射した光の利用効率が高く、省エネルギ化を可能にする。【解決手段】ＬＥＤ素子１０の発光部１０ａから真っ直ぐ正面方向へ出射する光線Ｌ１は、集光部材２１における凸形状２１ａの部分で反射し、その後、凹形状２１ｂの凹面部分に到達して再び反射し、コンタクトガラス方面へと向う。ＬＥＤ素子１０の発光部２０ａから角度を持って集光部材２１の凹形状２１ｂに到着する光線Ｌ２は、凹形状２１ｂで反射してコンタクトガラス方面へと向う。その後、コンタクトガラス方面へ向う光線は光拡散部材２２で拡散される。【選択図】図２
2010175922.tif 000002
【特許請求の範囲】
【請求項１】
原稿を照明する光源として複数のＬＥＤ素子が配設され、前記ＬＥＤ素子から発光した光を前記原稿方向へ集光かつ反射する集光部材を設けた原稿照明装置において、
前記集光部材を原稿主走査方向に延在する長尺部材から形成し、かつ前記集光部材の原稿副走査方向の断面形状を前記ＬＥＤ素子の発光部に対向した部分を凸形状とし、他の部分を凹形状とし、該集光部材と原稿載置位置との間に光拡散部材を配設したことを特徴とする原稿照明装置。
【請求項２】
前記光拡散部材は、方向により拡散特性が異なることを特徴とする請求項１記載の原稿照明装置。
【請求項３】
前記光拡散部材は、原稿主走査方向における拡散の度合いが大きいことを特徴とする請求項１または２記載の原稿照明装置。
【請求項４】
画像読取光学系の結像レンズの光軸と原稿載置位置との交点に対して、前記ＬＥＤ素子の設置位置とは反対側に、前記集光部材の一部から出射する光を前記原稿載置位置へ偏向させる反射部材を配設したことを特徴とする請求項１〜３いずれか１項記載の原稿照明装置。
【請求項５】
前記複数のＬＥＤ素子間の間隔を、原稿主走査方向に対して中央から周辺に行くに従い狭くなるように設定したことを特徴とする請求項１〜４いずれか１項記載の原稿照明装置。
【請求項６】
原稿を照明する原稿照明部と、前記原稿からの反射光を受光して原稿情報を読み取る読取部を具備する画像読取装置において、
前記原稿照明部として、請求項１〜５いずれか１項記載の原稿照明装置を用いたことを特徴とする画像読取装置。
【請求項７】
原稿情報を読み取る画像読取部と、該画像読取部から画像情報を受けて記録媒体に対して画像形成を行う画像形成部を具備する画像形成装置において、
前記画像読取部として、請求項６記載の画像読取装置を用いたことを特徴とする画像形成装置。
【発明の詳細な説明】
【技術分野】
【０００１】
本発明は、原稿を照明する光源と、光源から発光した光を原稿へ集光する集光部材とを備えた原稿照明装置、および当該原稿照明装置が搭載される画像読取装置ならびに画像形成装置に関するものである。
【背景技術】
【０００２】
近年、発光ダイオード（Light Emitting Diode：ＬＥＤ素子）の開発が活発に行われており、ＬＥＤ素子の明るさは急激に高まっている。ＬＥＤ素子は、一般的に長寿命，高効率，高耐Ｇ性，単色発光などの利点を有しており、多くの照明分野への応用が期待されている。
【０００３】
その用途の一つとして、ＬＥＤ素子は、デジタル複写機あるいはイメージスキャナのような画像読取装置の原稿照明装置に用いられている。画像読取装置に用いられるＬＥＤ素子の使用方法としては、様々な構成が提案され、実施されてきている。
【０００４】
例えば、特許文献１には、原稿の主走査方向に対して平行にＬＥＤ素子を多数並べ、ＬＥＤ素子の出射光を、主走査方向では光学的な作用を与えないことで発散させ、副走査方向において、反射面の集光作用により原稿面上の読取対象領域における照度を高めるようにした構成が記載されている。
【０００５】
しかしながら，前記構成では、図１２，図１３に示す説明図のように、作業者Ｅが原稿載置台側Ｄから装置内を見たときに、原稿照明光学系Ｏの光源Ｂが見えやすく、その光源Ｂが作業者Ｅにとって眩しく感じてしまうという問題があった。
【０００６】
特許文献２には、原稿の主走査方向と平行にＬＥＤ素子を多数並べ、それらのＬＥＤ素子を下向きに設置した構成が記載されている。この構成では、ＬＥＤ素子からの直接光が作業者の目に直接入射しないため、特許文献１に記載の構成と比較して、眩しさが低減するが、光源が高出力のＬＥＤ素子の場合は眩しいという問題は改善されない。
【０００７】
さらに、図１４に示すように、光源ＢのＬＥＤ素子から凹面ミラーＭに入射して反射した光の一部の光路がＬＥＤ素子Ｌ自体によって遮られ、光の利用効率が低下する。特に、図１４に示す構成にでは、光源ＢのＬＥＤ素子から出射する光線のうち、最も強度の強い正面方向に発光する光Ｌ１がＬＥＤ素子で遮られてしまうことになるため、光の利用効率が低くなる。
【０００８】
特許文献３，４および５では、光源と原稿面の間に拡散部材を配置する発明が開示されているが、本例では光源が原稿載置面に向けて配置されているため、作業者が原稿載置台側から装置内を見たときに、読取照明光学系の光源が見えやすく、作業者の眩しいということについての問題は解消されない。
【発明の概要】
【発明が解決しようとする課題】
【０００９】
本発明は、上記従来の問題に鑑みてなされたものであり、高出力な光源を用いても眩しくなく、さらに従来技術よりも光源から発した光の利用効率が高く、省エネルギ化を可能にした原稿照明装置、および当該原稿照明装置が搭載される画像読取装置ならびに画像形成装置を提供することを目的とする。
【課題を解決するための手段】
【００１０】
前記目的を達成するため、請求項１に記載の発明は、原稿を照明する光源として複数のＬＥＤ素子が配設され、前記ＬＥＤ素子から発光した光を前記原稿方向へ集光かつ反射する集光部材を設けた原稿照明装置において、前記集光部材を原稿主走査方向に延在する長尺部材から形成し、かつ前記集光部材の原稿副走査方向の断面形状を前記ＬＥＤ素子の発光部に対向した部分を凸形状とし、他の部分を凹形状とし、該集光部材と原稿載置位置との間に光拡散部材を配設したことを特徴とし、この構成によって、ＬＥＤ素子の正面方向へ出射する光線は、集光部材の凸形状部分で反射し、次に凹形状部分に到達して再び反射して原稿載置位置方向へと向う。このため、従来ではＬＥＤ素子自体で遮られていたＬＥＤ素子の正面方向への出射光はＬＥＤ素子でケラレることなく有効利用される。さらに、凹形状部分に到達して再び反射した後、出射光は拡散部材により拡散されることにより、原稿載置位置側から照明光を目で見ても眩しさを感じなくなる。
【００１１】
請求項２に記載の発明は、請求項１記載の原稿照明装置において、光拡散部材は、方向により拡散特性が異なることを特徴とし、この構成によって、ＬＥＤ素子の設置状態に対応させて、照明光率を向上させながら、眩しさを低減させることができる。
【００１２】
請求項３に記載の発明は、請求項１または２記載の原稿照明装置において、光拡散部材は、原稿主走査方向における拡散の度合いが大きいことを特徴とし、この構成によって、主走査方向のみ広がる線状の照明光とすることができ、主走査方向に比べて照明幅が小さい副走査方向の照明効率は維持したままで、照明光を見ても眩しくないようにすることが可能になる。
【００１３】
請求項４に記載の発明は、請求項１〜３いずれか１項記載の原稿照明装置において、画像読取光学系の結像レンズの光軸と原稿載置位置との交点に対して、ＬＥＤ素子の設置位置とは反対側に、集光部材の一部から出射する光を原稿載置位置へ偏向させる反射部材を配設したことを特徴とし、この構成によって、集光部材側と反射部材側との両方から対向照射されるため、段差がある原稿であっても影ができにくくなる。
【００１４】
請求項５に記載の発明は、請求項１〜４いずれか１項記載の原稿照明装置において、複数のＬＥＤ素子間の間隔を、原稿主走査方向に対して中央から周辺に行くに従い狭くなるように設定したことを特徴とし、この構成によって、原稿からの反射光を読取光学系に集光させる結像レンズのＣＯＳ４乗則による周辺光量低下を補うことができる。
【００１５】
請求項６に記載の発明は、原稿を照明する原稿照明部と、前記原稿からの反射光を受光して原稿情報を読み取る読取部を具備する画像読取装置において、前記原稿照明部として、請求項１〜５いずれか１項記載の原稿照明装置を用いたことを特徴とする。
【００１６】
請求項７に記載の発明は、原稿情報を読み取る画像読取部と、該画像読取部から画像情報を受けて記録媒体に対して画像形成を行う画像形成部を具備する画像形成装置において、前記画像読取部として、請求項６記載の画像読取装置を用いたことを特徴とする。
【発明の効果】
【００１７】
本発明に係る原稿照明装置によれば、集光部材の原稿副走査方向の断面形状をＬＥＤ素子の発光部に対向した部分を凸形状とし、他の部分を凹形状とし、さらに集光部材と原稿載置位置との間に光拡散部材を配設したことによって、ＬＥＤ素子の正面方向へ出射する光線は、集光部材の凸形状部分で反射し、次に凹形状部分に到達して再び反射して原稿載置位置方向へと向うことになる。
【００１８】
このため、従来、ＬＥＤ素子自体で遮られていたＬＥＤ素子の正面方向への出射光は、ＬＥＤ素子でケラレることなく、有効利用が可能となる。さらに、光線は凹形状部分において反射した後、拡散部材により拡散されることにより、原稿載置位置側から照明光を目で見ても眩しさを感じなくなる程度の光量にすることができる。
【００１９】
また、本発明に係る原稿照明装置が搭載した画像読取装置ならびに画像形成装置によれば、作業者が照明光を目で見て眩しさを感じることのない使用感に優れた装置となり、しかも、光源から発した光の利用効率が高いため、省エネルギ化が可能になる。
【図面の簡単な説明】
【００２０】
【図１】本発明に係る画像読取装置の実施形態の概略構成図
【図２】本実施形態における原稿照明装置の構成を説明するための断面図
【図３】（ａ），（ｂ）は本実施形態における集光部材の凸形状の変形例を示す図
【図４】本実施形態における光拡散部材の拡散特性の説明図
【図５】本実施形態における光拡散部材の拡散効果の説明図
【図６】本実施形態における反射部材の設置構成図
【図７】本実施形態におけるＬＥＤ素子の設置間隔の説明図
【図８】本実施形態におけるＬＥＤ素子の設置構造による原稿面照度の改善の説明図
【図９】本実施形態である画像読取装置の他の構成例を示す概略構成図
【図１０】本実施形態である画像読取装置の他の構成例を示す概略構成図
【図１１】本発明に係る画像形成装置の実施形態の概略構成図
【図１２】従来の原稿照明装置の説明図
【図１３】従来の原稿照明装置の説明図
【図１４】従来の原稿照明装置の説明図
【発明を実施するための形態】
【００２１】
以下、本発明の実施の形態について図面に基づいて説明する。
【００２２】
図１は本発明に係わる画像読取装置の実施形態の概略構成図であり、１１は原稿載置台としてのコンタクトガラス、１２は読取対象である画像を有する原稿、１３は内部に原稿照明装置１４と第１ミラー１５を備えた第１走行体、１６は第２ミラー１７と第３ミラー１８を備えた第２走行体、１９は画像読取系のラインセンサ２０の前方に配設された結像レンズであって、ラインセンサ２０は、赤（Ｒ），緑（Ｇ），青（Ｂ）のフィルタを持った３種の光電変換素子２０ａ，２０ｂ，２０ｃを有する構成のものである。
【００２３】
図１において、原稿１２は、コンタクトガラス１１上に平面的に載置され、コンタクトガラス１１の下部に配設された原稿照明装置１４により照明される。原稿照明装置１４は、コンタクトガラス１１上の原稿１２を図面に直交する方向に長いスリット状に照明する。
【００２４】
原稿１２における照明された部分からの反射光（画像による反射光）は、第１走行体１３に設けられた第１ミラー１５により反射された後、第２走行体１６に設けられた第２ミラー１７，第３ミラー１８により順次反射され、結像レンズ１９を通ってラインセンサ２０の撮像面上に原稿画像の縮小像として結像する。
【００２５】
第１走行体１３，第２走行体１６は、駆動手段（図示せず）により、それぞれ矢印方向（図の右方）へ走行させられる。第１走行体１３の走行速度は「Ｖ」であり、第２走行体１６の走行速度は「Ｖ／２」である。この走行により、第１走行体１３，第２走行体１６は、それぞれ「破線で示す位置」まで移動する。
【００２６】
原稿照明装置１４と第１ミラー１５は、第１走行体１３と一体的に移動して、コンタクトガラス１１上の原稿１２の全体を照明走査する。第１走行体１３と第２走行体１６との移動速度比はＶ：Ｖ／２であるので、照明走査される原稿部分から結像レンズ１９に至る光路長は不変に保たれる。
【００２７】
ラインセンサ２０は、色分解手段としてＲ，Ｇ，Ｂのフィルタを持った光電変換素子２０ａ，２０ｂ，２０ｃを、１チップに３列に配列した３ラインＣＣＤ（３ライン電荷結合素子）であり、原稿１２の照明走査に伴って原稿画像を画像信号化する。このようにして原稿１２の読み取りが行われ、原稿１２のカラー画像は、赤，緑，青の３原色に色分解されて読み取られる。
【００２８】
また、本画像読取装置は、画像をフルカラーで読み取る構成であって、結像レンズ１９の結像光路中に設けられた色分解手段（前記３ラインＣＣＤに設けられたＲ，Ｇ，Ｂのフィルタ）を有する。
【００２９】
なお、画像読取装置の他の構成として、コンタクトガラス１１上の原稿１２をスリット状に照明する原稿照明装置１４と、ラインセンサ２０と、原稿１２の被照明部からラインセンサ２０に至る結像光路を形成する複数のミラー１５，１７，１８と、結像光路上に配置される結像レンズ１９とを一体化した読取ユニットを、駆動手段により原稿に対して相対的に走行させることにより、原稿を読取走査するようにした構成のものとすることもできる。
【００３０】
また、色分解の方法としては、前記３ラインＣＣＤを用いるほかに、結像レンズ１９とラインセンサ２０との間に色分解プリズムやフィルタを選択的に挿入し、Ｒ，Ｇ，Ｂに色分解する方法、あるいは、Ｒ，Ｇ，Ｂの光源を順次点灯させ原稿を照明する方法を用いることができる。
【００３１】
図２は本実施形態における原稿照明装置の構成を説明するための断面図であり、本原稿照明装置１４は、原稿を照明する光源として複数（図面の垂直方向に並べられている）のＬＥＤ素子１０と、ＬＥＤ素子１０から発光した光を原稿方向へ集光かつ反射する集光部材２１と、集光部材２１からの光を拡散する光拡散部材２２とを備えている。
【００３２】
集光部材２１は、原稿主走査方向（図面の垂直方向）に延在する長尺部材から形成され、かつＬＥＤ素子１０と対向する反射面側において、集光部材２１の原稿副走査方向の断面形状を、ＬＥＤ素子１０の発光部１０ａに対向した部分を凸形状２１ａとし、他の部分を凹形状２１ｂとしている。
【００３３】
集光部材２１と、原稿載置位置である図１に示すコンタクトガラス１１との間に光拡散部材２２が配設されている。
【００３４】
ＬＥＤ素子１０の発光部１０ａから真っ直ぐ正面方向へ出射する光線Ｌ１は、集光部材２１における凸形状２１ａの部分で反射し、その後、凹形状２１ｂの凹面部分に到達して再び反射し、コンタクトガラス１１方面へと向う。ＬＥＤ素子１０の発光部１０ａから角度を持って集光部材２１の凹形状２１ｂに到着する光線Ｌ２は、凹形状２１ｂで反射してコンタクトガラス１１方面へと向う。
【００３５】
その後、コンタクトガラス１１方面へと向う光線は、光拡散部材２２により拡散される。このため、作業者が、コンタクトガラス１１を通して外部から照明光を目で見ても、眩しさを感じない程度の光量となる。
【００３６】
さらに、従来、ＬＥＤ素子１０で遮られていた該ＬＥＤ素子１０の正面方向へ出射して反射する光線は、本実施形態では前記のように集光部材２１における凸形状２１ａの部分で反射し、その後、凹形状２１ｂの凹面部分に到達して再び反射することになるため、ＬＥＤ素子１０でケラレることがなくなる。このため、ＬＥＤ素子１０から出射する光線を有効に利用することができる。
【００３７】
集光部材２１の凸形状２１ａとしては、前記構成例の以外にも、図３（ａ），（ｂ）に示すような先鋭形状、あるいは先端部を円弧状にした形状など種々の形状にすることが考えられる。
【００３８】
なお、前記光拡散部材２２は、方向により拡散特性が異なる構成にするとよい。例えば、光拡散部材２２による拡散特性を、主走査方向に対応する長手方向とそれに直交する副走査方向とにおいて異なるようにすることにより、より照明光率を向上させながら、眩しさを低減させることが可能となる。
【００３９】
一般的に画像読取装置に使用する原稿照明装置としては、副走査方向は数ｍｍ程度の幅を照明すればよい。よって、当該原稿照明装置には、光拡散部材２２として、主走査方向の拡散度合いが大きく強くなる特性のものを用いる。
【００４０】
ここで、例えば、光拡散部材２２が、図４に示すように、全ての方向に対して角度に依存した拡散特性を有しているとすると、集光部材２１は、前記構成のように凹形状２１ｂをしており、副走査方向に照明光をあまり広げることなく原稿面を照明し、図４に示す特性により、全ての方向に拡散されることになる。このため、照明光を目で見ても眩しく見えない変わりに、図５に示す一点鎖線のように、原稿面上において副走査方向も大きな範囲に広がってしまい、照明光率が低下してしまうことになる。
【００４１】
そこで、副走査方向は拡散させず主走査方向のみ、図４に示すような拡散特性を有するようにすることにより、主走査方向のみ広がる線状の照明光とすることができ、図５に示す実線のように、副走査方向の照明効率は維持したまま照明光を見ても眩しくないようにすることが可能となる。主走査方向，副走査方向の拡散特性は、反射部材による照明光の集光度合いと光源の明るさにより任意に設定することが可能であり、これにより照明効率と眩しさの低減化との両方が良好となるように設定することができる。
【００４２】
図６に示すように、図１に示す結像レンズ１９の光軸Ｌとコンタクトガラス１１との交点（図６に示すＭ位置）の位置に対して、ＬＥＤ素子１０の設置位置と反対側に反射部材２３を配設するとよい。
【００４３】
このように構成することにより、ＬＥＤ素子１０から出射する光線のうち、凹形状２１ｂで反射した光線が反射部材２３に到達して反射し、コンタクトガラス１１を照射することになる。これにより、コンタクトガラス１１上の原稿読取位置（Ｍ位置）は、図６中の左側と右側とからそれぞれ照射されることになる。このように対向照射することにより、原稿面に段差のある原稿においても影ができにくくなり、読取精度が向上する。
【００４４】
また、図７に示すように、複数個が配設されるＬＥＤ素子１０を、主走査方向に対して中央から周辺に行くに従いＬＥＤ設置間隔が狭くなるようにするとよい。
【００４５】
一般に、原稿からの反射光束を結像レンズによりＣＣＤなどの固体撮像素子に結像させ、その原稿の画像情報を読み取る光学系においては、結像レンズ１９のＣＯＳ４乗則により、読取部のＣＣＤなどの固体撮像素子上の光量が中央に対して周辺の方が低下してしまう。
【００４６】
そのため、主走査方向の画像有効領域において、略フラットな原稿照明光量分布では結像レンズによる周辺光量低下のため、ＣＣＤなどの固体撮像素子の周辺部出力が低下し、ノイズの影響が大きくなる。そのため画像品質が劣化し、特に端部付近の画像情報の品質低下が生じていた。その対策としては、ＬＥＤ素子１０を主走査方向に並べて設け、図７に示すように、周辺においてＬＥＤ素子１０の設置数を増加することが望ましい。
【００４７】
そこで、本実施形態では、主走査方向に同一の形状で延在しているＬＥＤ素子１０を周辺部の間隔ピッチＰ１が中央部の間隔ピッチＰ０より密になるようにＬＥＤ素子１０を並べている。このように、コンタクトガラス１１上の照明光量分布を、図８に示すように、中央部から周辺部に行くに従い増加させることにより、結像レンズ１９のＣＯＳ４乗則を補うことができる。
【００４８】
図９は本発明の実施形態である画像読取装置の他の構成例を示す概略構成図である。
【００４９】
図９に示す構成例では、読み取られるべき画像を有する原稿１２はコンタクトガラス１１上に平面的に載置され、コンタクトガラス１１の下部に配置した原稿照明装置１４により原稿１２を照明する構成にしてある。原稿照明装置１４としては、前記実施形態の構成を採用したものを用い、コンタクトガラス１１上の原稿１２を、図面に直交する方向に長いスリット状に照明する。
【００５０】
原稿１２における照明された部分からの反射光は、複数配置（本例では５枚のミラーを配置）した折返しミラー２５ａ〜２５ｅにより順次反射され、結像レンズ１９によってラインセンサ２０の撮像面上に原稿画像の縮小像を結像する。
【００５１】
原稿照明装置１４，折返しミラー２５ａ〜２５ｅ，結像レンズ１９、およびラインセンサ２０は、読取光学ユニット２６として一体的に保持されている。該読取光学ユニット２６は、図示しない駆動手段によって矢印方向（図の右方）へ走行させ、点線で示す位置まで移動して、原稿１２全体の情報を読み取る。
【００５２】
ラインセンサ２０は、色分解手段として赤（Ｒ），緑（Ｇ），青（Ｂ）のフィルタを持った光電変換素子２０ａ，２０ｂ，２０ｃを、１チップに３列に配列させた３ラインＣＣＤであり、原稿１２の照明走査に伴い原稿画像を画像信号化する。このようにして原稿１２の読み取りが実行され、原稿１２のカラー画像情報を赤，緑，青の３原色に色分解して読み取る。
【００５３】
色分解の方法としては、前記色分解手段とは別に、既述したと同様に結像レンズ１９とラインセンサ２０との間に、色分解プリズムやフィルタを選択的に挿入し、Ｒ（赤），Ｇ（緑），Ｂ（青）に色分解する方法、あるいは、Ｒ，Ｇ，Ｂの光源を順次点灯させて原稿を照明する方法を用いることもできる。
【００５４】
また、結像光路中に色分解素子を配さずに、原稿情報をモノクロとして読み取ることも可能である。
【００５５】
なお、図９に示す構成例では折返しミラーを５枚使用した例を示したが、この折返しミラーの枚数は限定されるものではない。
【００５６】
図１０は本実施形態である画像読取装置のさらに他の構成例を示す概略構成図であって、本構成例では等倍結像タイプの光学系を用いている。
【００５７】
読み取られる画像を有する原稿１２はコンタクトガラス１１上に平面的に載置され、コンタクトガラス１１の下部に前記実施形態の構成を採用した原稿照明装置１４を配設し、この原稿照明装置１４により、コンタクトガラス１１上の原稿１２を図面の垂直方向に長いスリット状に照明する。
【００５８】
図１０に示す構成例では、原稿１２における照明された部分からの反射光が、等倍結像素子２７を有する光学系２８により等倍センサー２９上に結像され、等倍センサー２９にて原稿情報を読み取る。そして、原稿照明装置１４，等倍結像素子２７，等倍センサー２９からなる読取光学ユニット３０が、矢印の方向に移動し、原稿１２を走査することにより原稿情報全体を読み取る。
【００５９】
図１１は本発明に係わる画像形成装置の実施形態の概略構成図であり、本実施形態では既述した原稿照明装置を搭載した画像読取装置を使用したものである。なお、以下の説明において、既に説明した部材に対応する部材には同一符号を付して詳しい説明は省略する。
【００６０】
本画像形成装置は、装置本体３１の上部に設置された画像読取部４０と、その下位に設置された画像形成部５０を具備している。画像読取部４０としては図１にて説明した画像読取装置と同一構成のものを使用した例を示している。
【００６１】
画像読取部４０の３ラインのラインセンサ２０から出力される画像信号は画像形成部５０の画像信号処理部５１に送られ、画像信号処理部５１において処理されて、書込み用の信号（イエロー，マゼンタ，シアン，黒の各色を書込むための信号）に変換される。
【００６２】
画像形成部５０は、潜像担持体として円筒状に形成された光導電性の感光体５２を有し、その周囲に、帯電手段としての帯電ローラ５３、リボルバ式の現像装置５４、転写ベルト５５、クリーニング装置５６が配設されている。帯電手段としては帯電ローラ５３に代えて、コロナチャージャを用いることもできる。
【００６３】
画像信号処理部５１から書込み用の信号を受けて光走査により感光体５２に対して書込みを行う光走査装置５７は、帯電ローラ５３と現像装置５４との間において感光体５２の光走査を行うようになっている。
【００６４】
なお、図１１中の５８は定着装置、５９は給紙カセット、６０はレジストローラ対、６１は給紙コロ、６２は排紙トレイ、Ｓは記録媒体としての転写紙を示している。
【００６５】
画像形成を行うときは、光導電性の感光体５２が時計回りに等速回転され、その表面が帯電ローラ５３により均一帯電され、感光体５２の表面は、光走査装置５７のレーザビームの光書込による露光を受けて静電潜像が形成される。形成された静電潜像は、所謂「ネガ潜像」であって画像が露光されている。
【００６６】
画像の書込みは、感光体５２の回転に従いイエロー画像，マゼンタ画像，シアン画像，黒画像の順に行われ、形成された静電潜像が、リボルバ構造の現像装置５４の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化される。このようにして得られた各色トナー画像は、転写ベルト５５上に、転写電圧印加ローラ６２により順次転写され、前記各色トナー画像が転写ベルト５５上で重ね合わせられてカラー画像となる。
【００６７】
転写紙Ｓを収納したカセット５９は、装置本体に対して脱着可能であって、図示した装着状態において、収納された転写紙Ｓの最上位の１枚が給紙コロ６１により給紙される。給紙された転写紙Ｓは、その先端部がレジストローラ対６０のニップに捕えられる。
【００６８】
レジストローラ対６０は、転写ベルト５５上のトナーによるカラー画像が転写位置へ移動するのにタイミングを合わせて、転写紙Ｓを転写ローラからなる転写部６３へ送り込む。送り込まれた転写紙Ｓは、転写部６３においてカラー画像と重ね合わせられ、転写部６３の転写ローラなどの作用によりカラー画像が転写される。
【００６９】
カラー画像が転写された転写紙Ｓは、定着装置５８へ送られ、定着装置５８においてカラー画像が定着され、図示しないガイド手段による搬送路を通り、図示しない排紙ローラ対により排紙トレイ６２上に排出される。各色トナー画像が転写されるたびに、感光体５２の表面はクリーニング装置５６によりクリーニングされ、残留トナーや紙粉などが除去される。
【００７０】
なお、本画像形成装置では、画像形成部５０として前記カラー画像形成用の構成を、単色画像形成用の構成に変えることができる。
【産業上の利用可能性】
【００７１】
本発明は、デジタル複写機などの画像形成装置、あるいはイメージスキャナなどの画像読取装置などにおける原稿照明装置に用いて有効である。
【符号の説明】
【００７２】
１０  ＬＥＤ素子
１０ａ  発光部
１１  コンタクトガラス
１２  原稿
１４  原稿照明装置
２０  ラインセンサ
２１  集光部材
２１ａ  凸形状
２１ｂ  凹形状
２２  光拡散部材
【先行技術文献】
【特許文献】
【００７３】
【特許文献１】特開２００６−４２０１６号公報
【特許文献２】特開２００５−２４１６８１号公報
【特許文献３】特開２００８−１７２５６１号公報
【特許文献４】特開２００８−１８０８４１号公報
【特許文献５】特開２００８−１２４８９１号公報
【図１】
2010175922.tif 000003
【図２】
2010175922.tif 000004
【図３】
2010175922.tif 000005
【図４】
2010175922.tif 000006
【図５】
2010175922.tif 000007
【図６】
2010175922.tif 000008
【図７】
2010175922.tif 000009
【図８】
2010175922.tif 000010
【図９】
2010175922.tif 000011
【図１０】
2010175922.tif 000012
【図１１】
2010175922.tif 000013
【図１２】
2010175922.tif 000014
【図１３】
2010175922.tif 000015
【図１４】
2010175922.tif 000016